(57)【要約】      （修正有）【課題】金属製バンドとのクランプ接続が、長期的に必ずしも安定しているとは限らず、さらにバンド上に望ましくない跡をつける影響があり得るので、これを解決する。【解決手段】金属製腕時計バンドは、各々が長手方向に沿って延在する第１および第２のバンド半分１１，１２を有する。第１の締結手段３１は、第１の状態において案内されて第１のバンド半分に対して移動可能なスライド３２を含むことによって、第１のバンド半分に対して移動可能である。第１の締結手段は、固定素子３４、たとえば第１の締結手段を横切って配置される長尺クランプ素子を含む。この固定素子は少なくとも１つの固定用突起部３５を含み、これらと一致する固定用くぼみ１４が、第１のバンド半分の下側に、たとえば等間隔で一列に配置されている。第１の締結手段の第２の状態では、固定用突起部は、第１の締結手段の位置に応じて、固定用くぼみのうちの１つの中に係合する。【選択図】図１
2020124503.tif 000002
【特許請求の範囲】
【請求項１】
金属製腕時計バンドであって、長手方向に沿って延在して上側および下側を有する第１の金属製バンド半分（１１）と、第２の金属製バンド半分（１２）と、前記第１のバンド半分に締結するための第１の締結手段（３１）および前記第２のバンド半分に締結するための第２の締結手段（２７）を有する折畳み式クラスプ（２）とを備え、
前記第１の締結手段は、第１の状態において案内されて前記第１のバンド半分（１２）に対して移動可能なスライド（３２）を備え、前記スライドは第２の状態において前記第１のバンド半分に当接する固定素子（３４）を備え、前記第１のバンド半分は少なくとも２つの固定用くぼみ（１４）を少なくとも１列備え、前記列は前記長手方向に沿って延在し、前記固定素子（３４）は少なくとも１つの固定用突起部（３５）を備え、前記固定用突起部は前記固定用くぼみ（１４）に嵌合し、前記第２の状態において前記固定用くぼみのうちの１つの中に係合し、したがって前記第１の締結手段（３１）は前記第２の状態において前記第１のバンド半分に固定締結されることを特徴とする、金属製腕時計バンド。
【請求項２】
前記固定用くぼみ（１１）は前記第１のバンド半分（１１）の前記下側に存在し、前記第２の状態において前記固定素子（３４）は前記第１のバンド半分の前記下側に当接する、請求項１に記載の腕時計バンド。
【請求項３】
前記固定素子（３４）は、前記第２の状態において前記長手方向を横切るように、前記長手方向と平行に延びる継手軸を有するピボット継手の上で前記スライド（３２）に対して保持される、請求項１または２に記載の腕時計バンド。
【請求項４】
前記固定素子（３４）は、前記継手と反対側にラッチ構造（３７）を備え、前記ラッチ構造は前記第２の状態において前記スライド（３２）の対応するラッチ構造（３８）にラッチする、請求項３に記載の腕時計バンド。
【請求項５】
前記固定素子（３４）は長尺クランプ素子である、請求項１から４のいずれか１項に記載の腕時計バンド。
【請求項６】
前記第１のバンド半分（１１）および前記第２のバンド半分（１２）の各々は金属製メッシュ構造を備える、請求項１から５のいずれか１項に記載の腕時計バンド。
【請求項７】
前記固定用くぼみ（１４）は互いに隣り合う２列を形成し、前記固定素子は列ごとに１つの固定用突起部（３５）を備える、請求項１から６のいずれか１項に記載の腕時計バンド。
【請求項８】
前記第１のバンド半分は列ごとに少なくとも４つのくぼみを備え、したがって前記第１の締結手段は、対応する少なくとも４つの異なる位置で前記第１のバンド半分に対して締結可能である、請求項１から７のいずれか１項に記載の腕時計バンド。
【請求項９】
前記固定用くぼみ（１４）は前記第１のバンド半分におけるエンボス部分によって形成される、請求項１から８のいずれか１項に記載の腕時計バンド。
【請求項１０】
前記固定用くぼみ（１４）および前記少なくとも１つの固定用突起部（３５）の各々は矩形状の輪郭を有する、請求項１から９のいずれか１項に記載の腕時計バンド。
【請求項１１】
前記第２のバンド半分の周りのループ（３）をさらに備え、前記ループにはばね（３）が設けられており、前記ループは、前記第１の締結手段（３１）の上に突出する前記第１のバンド半分（１１）の部分を受けるためのものである、請求項１から１０のいずれか１項に記載の腕時計バンド。
【請求項１２】
前記折畳み式クラスプは３つの部分（２１，２４，２５）を有するバタフライ折畳み式クラスプであり、前記３つの部分は、対になって互いに枢動可能であり、１列を形成する、請求項１から１１のいずれか１項に記載の腕時計バンド。
【請求項１３】
閉状態における２つの外側部分（２４，２５）は中央部分（２１）の２つのウェブ同士の間にあり、または、前記閉状態における前記中央部分は前記２つの外側部分の２つのウェブ同士の間にある、請求項１２に記載の腕時計バンド。
【請求項１４】
前記折畳み式クラスプの少なくとも１つの部分（２１，２４）は、前記折畳み式クラスプの閉状態において前記固定素子（３４）を前記下側に向けて覆う、請求項１から１３のいずれか１項に記載の腕時計バンド。
【請求項１５】
前記第２の締結手段は前記第２のバンド半分（１２）の一端に固定接続される、請求項１から１４のいずれか１項に記載の腕時計バンド。
【発明の詳細な説明】
【技術分野】
【０００１】
本発明は腕時計バンドの分野に関する。
【背景技術】
【０００２】
革バンドおよびプラスチックバンドの他に、特に金属製バンドも腕時計バンドの中で広く用いられている。一方では、金属製腕時計バンドはリンク腕時計バンドとして存在し得る。これらに関して、バンドは、ピンなどによって互いに関節のように接続されている金属製リンクによって形成される。他方では、精巧に連結された金属構造、いわゆるメッシュによって形成されるバンドも特に人気がある。そのような構造は、互いに編まれている数本のワイヤで構成される。これらはミラネーゼバンドとして知られている場合もあり、特に、やや細いおよび／または繊細な腕時計の筐体設計と組合わされると、格別に高級に見える。
【０００３】
メッシュ構造を有する金属製腕時計バンドには、当該バンドを閉じるために、第１の選択肢によると、従来のつく棒と穴の解決策が与えられる。このため、金属製編組みに、等間隔で配置されている好適に補強された穴を設ける必要がある。第２に、バンドの一方の半分の端部を形成し、閉じるとバンドの残り半分の上にクランプ部によって堅くクランプされるクランプスライドを有するクラスプが存在し、クランプ部は長手方向に対して垂直に軸の周りを枢動可能である。第３に、金属製リンク腕時計バンドにも、メッシュ構造を有する金属製腕時計バンドにも、いわゆる折畳み式クラスプが広く用いられている。これらには、格別に上品かつ頑丈に設計可能であり、適合サイズに永久的に調整される、という利点がある。しかし、後者の利点は不利点でもあり得る。実際は、腕時計バンドの長さの調節は一般に、時計製造・修理人のみが、一部を除去／追加することによってまたは腕時計バンドの一方の半分全体を交換することによってのみ可能である。クランプスライドと折畳み式クラスプとの組合せも存在する。しかし、それらには、金属製バンドとのクランプ接続が、長期的に必ずしも安定しているとは限らず、さらにバンド上に望ましくない跡をつける影響があり得るという不利点がある。
【０００４】
腕時計バンド、特に革、織物またはキャンバス地の腕時計バンドのための閉じ具がＣＨ  ７１０  １３３に教示されている。この閉じ具は「バタフライ」原理に基づいている。ベースとカバーとを有する固定素子がバンドの一方のバンド半分の上に導かれる。このバンドの一方のバンド半分には、それ自体既知の態様で一列の中心孔（貫通孔）が設けられており、当該孔にベースのピンが挿入されて、固定素子がその位置に固定され得る。固定素子をずらす場合は、長手方向軸に垂直な軸の周りの枢動運動によってカバーを持ち上げると、ピンを孔から押出すことができる。この解決策はバンドの貫通孔を必要とするため、金属製腕時計バンドには好適でない。
【発明の概要】
【課題を解決するための手段】
【０００５】
本発明の目的は、現行技術の不利点を克服し、特に、上品で、信頼性があり、実用的な設計を可能にする金属製腕時計バンド、特にメッシュ腕時計バンドを提供することである。
【０００６】
金属製腕時計バンドは、各々が長手方向に沿って延在して上側および下側を有する、第１のバンド半分および第２のバンド半分を有する。これらのバンド半分は平坦で本質的にテープ状であり得る。下側は、腕時計を手首につけると内側に来る、すなわちユーザの腕に近づく側であるのに対して、上側は、バンドの残り半分または何か他のもので覆われていない限りは見えている。本発明に係るタイプの腕時計バンドは、折畳式クラスプをさらに含む。そのような折畳み式クラスプは、ピボット継手（ヒンジ）を介して互いに接続され、かつ概して閉状態（互いに折畳まれた状態）においてラッチされ得る複数の部分を含む。開状態において外側端部を形成するこれら２つの部分の各々には、それぞれ第１および第２のバンド半分に締結するための締結手段が設けられている。締結は、永久的な接続または解放可能な接続を介してもたらされ得る。
【０００７】
この目的を達成するために、第１の状態において案内されて第１のバンド半分に対して移動可能なスライドを第１の締結手段が含むことによって、第１の締結手段を第１のバンド半分に対して移動可能に設計することを提案する。第１の締結手段は、固定素子、たとえば長尺クランプ素子などのクランプ素子を含む。この固定素子は少なくとも１つの固定用突起部を含み、これらと一致する固定用くぼみが、第１のバンド半分の下側に、たとえば等間隔で一列に配置されている。第１の締結手段の第２の状態では、固定用突起部は、第１の締結手段の位置に応じて、固定用くぼみのうちの１つの中に係合する。
【０００８】
固定用くぼみは、腕時計バンドの各バンド半分におけるくぼみであり、すなわち、概して比較的浅い止まり穴であるため、へこみまたは凹部として設計される。金属製腕時計バンド上のへこみ状のくぼみという観点でくぼみを組込むことは、たとえばエンボス加工（打抜き加工、型押し加工）手順によって可能であり、これは、たとえば貫通孔とは対照的に、製造プロセスの複雑化または美的局面に関して大きく妥協することなく可能である。
【０００９】
固定素子は、第２の（閉）状態において第１のバンド半分の下側に沿って第１のバンド半分の長手方向を横切って延び、かつ長手方向軸と平行に延びる継手軸を有する継手を介して第１の締結手段のスライドに締結される素子であり得る。当該素子は特に長尺クランプ素子であり得る。長尺クランプ素子は、金属製の装飾的な（dressage）腕時計バンドについて既知であるような長尺クランプ素子の原理と同様に、たとえば継手と反対側でラッチされ得る。
【００１０】
長手方向を横切る素子を有するそのような配置は特に有利である。一方では、第２の（閉）状態において、それによって、素子、特に長尺素子を、および場合によっては、それを固定するためのラッチ機構を、特に繊細な構造を用いて製造することが可能になり、これは腕時計バンドの場合は大きな利点である。他方では、腕時計をつけると通常発生するような引張荷重の発生を考慮して、固定素子が勝手に開くことが防止される。腕時計バンドに対する張力は、その上に固定素子が装着されている継手軸（ピボット）を横切って作用するため、閉状態において固定素子を保持する機構（たとえばラッチ機構）に荷重をかけない。
【００１１】
また、固定素子をバンドの下側に取付けることは、第１に腕時計をつけると固定素子に手が届かないために、第２に腕に対するバンドの押さえ付けが固定の意図しない解放の防止に寄与するために、これに関して有利である。
【００１２】
固定用くぼみと相互に作用する少なくとも１つの固定用突起部の原理のために、押込み嵌合によって固定されている第１のバンド半分に対する第１の締結手段の位置決めが成功する。このため、つく棒と穴の解決策から既知であるような押込み嵌合接続の利点がもたらされる。これらの利点として、長期の荷重印加の後でも移動し得ない厳密に規定された位置（長期の安定性）と、材料保存との組合せがある。これは、たとえば革バンドまたは金属製バンド上のクランプ接続（摩擦嵌合接続）とは対照的であり、当該接続はバンド上に元に戻らない跡をつけてしまう。これにも係わらず、本発明に係る手順では、つく棒と穴の解決策と比べて、折畳み式クラスプの利点、特により単純で上品な取扱いが維持される。
【００１３】
さらなる利点は、上述のように設計される第１の締結手段と折畳み式クラスプとの組合せによって、可能性のある相乗効果が利用可能になることである。折畳み式クラスプは、その部分の少なくとも１つが、固定素子を含む第１の締結手段を下側に向けて、すなわち装着者の腕に向けて覆うように設計され得る。クランプのみを用いる解決策とは対照的に、概して解剖学的状態に従う弓形の折畳み式クラスプは、固定素子が装着者の気に障らないようにすることができる。
【００１４】
特に腕時計バンドのバンド両半分は金属メッシュ（金属製編組み）から製造され、すなわち本発明は、そのようなメッシュバンド（「編組み」という単語は、金属構造が網目を形成しつつ互いの中に係合することを意味するものであり、製造方法に関して何も仮定していない）に、または「ミラネーゼ」バンドに特に好適である。
【００１５】
特に、腕時計バンドのバンド両半分はステンレス鋼から製造され得る。たとえば貴金属などのその他の材料も考えられる。
【００１６】
折畳み式クラスプは少なくとも２つの部分を含む。２つの部分の各々は、端部において継手によって第１および第２の締結手段にそれぞれ締結され、さらなる継手を介して互いに接続される。本発明に係る手順の文脈では、３つの部分および合計４つの継手（ヒンジ）を含むいわゆる「バタフライ」折畳み式クラスプが特に好適である。
【００１７】
固定用くぼみは、たとえば少なくとも４つの固定用くぼみを少なくとも１列形成する。特に、各列の固定用くぼみは横方向の位置（長手方向を横切る位置）が同じであり、たとえば等間隔で配置されている。列（１つまたは複数）は、要件に従ってほぼ任意の長さにすることができる。このため、本発明に係る概念は、腕時計バンドを短くしなくても広範囲にわたる長手方向の調整機能を可能にする。
【００１８】
特に、固定用くぼみは２列を形成してもよく、その場合はしたがって２つの固定用突起部が存在し得る。固定用突起部は、互いに対応する軸方向の位置（長手方向に沿った位置）で互いに隣り合って配置され得る。たとえば３つなど、２つよりも多い列／突起部も可能である。
【００１９】
固定用くぼみは、第１のバンド半分の上のエンボス部分（くぼみ、打抜き加工）によって形成され得る。それらは任意に金属的にライニングされてもよいが、これは技術的には不要である。
【００２０】
それ自体既知であるように、第２の締結手段は、たとえば端部において、第２のバンド半分に固定接続され得る。
【００２１】
２つのバンド半分と、２つの締結手段を有する折畳み式クラスプとに加えて、腕時計バンドはループを含み得る。ループは、革バンドまたはプラスチックバンドからも既知であるように、第２のバンド半分の周りに巻かれ、締結手段を越えて突出する第１のバンド半分の部分を受け、第２のバンド半分の上に巻かれ得る。特に、そのようなループは、ループの中に導かれる片方または両方のバンド半分をわずかにクランプするために、ばねを含み得る。そのようなばねによって、ループの位置的安定性が改善される。
【００２２】
以下の図面は本発明の例示的な実施形態を表わしており、これによって本発明を詳細に説明する。図中、同一の参照番号は同一または同様の素子を指す。
【図面の簡単な説明】
【００２３】
【図１】第１の締結手段が開いている、開状態の腕時計バンドの図である。
【図２】図１の詳細を、第１の締結手段のクランプとともに示す図である。
【図３】図１の詳細を、第１のバンド半分と、２列の固定用くぼみと、見えている４つの固定用くぼみ位置とともに示す図である。
【図４】開状態にあるが第１の締結手段が閉じている、図１の腕時計バンドの図である。
【図５】閉状態の腕時計バンドの図である。
【発明を実施するための形態】
【００２４】
図１〜図５に係る腕時計バンド１は、金属製編組みからの第１のバンド半分１１と、同一の金属製編組みからの第２のバンド半分１２と、バタフライクラスプ２と、ループ３とを含む。
【００２５】
第１のバンド半分は、矩形のエンボス部分として設計される７個の固定用くぼみ１４を２列含む。端部において、すなわち表わされていない腕時計ケースに向かって、腕時計ケース締結具１７がバンド半分１１，１２の両方に固定的に取付けられる。
【００２６】
それ自体既知のバタフライ折畳み式クラスプ２は、中央部分２１と、継手を介して互いに接続される２つの外側部分２４，２５とを含む。端部側において、外側部分２４，２５の各々は、各場合においてさらなる継手を介して、第１の締結手段３１および第２の締結手段２７にそれぞれ接続される。これらの部分は、人間の腕の解剖学的構造に適合されるように弓形である。第２の締結手段２７は、第２のバンド半分の（腕時計ケース締結具１７と反対側にある）端部に固定的に取付けられる。第１の締結手段３１は第１のバンド半分に割当てられており、これに締結可能であり、したがって折畳み式クラスプは第１および第２のバンド半分同士を接続する。
【００２７】
第１の締結手段３１はスライド３２を含み、この上に各外側部分２４のピン３３がその軸の周りに回転可能に締結されて継手を形成する。さらに、第１の締結手段は長尺クランプ素子３４を含む。２つの固定用突起部３５がこの上に形成されており、これらの矩形形状およびサイズは固定用くぼみ１４の形状およびサイズと一致する。長尺クランプ素子は、クランプ素子ピン３６によって形成されるピボット継手の上を第１のバンド半分の長手方向を横切って枢動可能であり、対応する枢動運動によって図１および図２に示す開状態から閉状態（図４）にすることができ、第１のバンド半分に対するスライドの位置は、長尺クランプ素子が１対のくぼみ開口部１４上に並ぶように選択される。閉状態では、長尺クランプ素子は第１のバンド半分１１の上を横切って延在し、第１のバンド半分は長尺クランプ素子とスライドとの間にクランプされる。固定用突起部３５は固定用くぼみ１４の中に係合し、したがって当該バンド半分の長手方向におけるスライドの移動に関して押込み嵌合をもたらす。
【００２８】
閉状態では、長尺クランプ素子のラッチ構造３７が、クランプ素子ピン３６と反対側でスライドの対応するラッチ構造３８の中に係合し、したがって閉状態において長尺クランプ素子を固定する。長尺クランプ素子はさらに、折畳み式クラスプが閉じられると折畳み式クラスプの部分によって腕時計の装着者の腕へと覆われる（図５）。これによって、第１の締結手段が意図せず開くことがさらに防止される。
【００２９】
腕時計バンドの長さを調整する場合、装着者は、腕時計を手首から外して長尺クランプ素子３４を折畳み式クラスプの開状態に開き、スライドを固定用くぼみ１４の列内の１つ以上の位置だけずらし、長尺クランプ素子を再び閉じる必要がある。
【００３０】
それ自体既知であるように、折畳み式クラスプ２はラッチ機構を含み、これによって図５に示されるようにその閉状態にラッチされ得る。この状態では、外側部分２４，２５は中央部分２１を形成する２つのウェブ同士の間に位置しているため、当該配置は図５に見ることができるように可能な限り嵩張らないようになっている。腕時計バンドを開くためには、外側の２つのロックプッシュボタンを同時に作動させてラッチ構造を解放する。
【００３１】
ループ３は第２のバンド半分１２の周りに巻かれ、第１の締結手段を越えて突出する第１のバンド半分１１の部分を案内する役割を果たし、したがって当該部分はよりよく固定されるように第２のバンド半分１２を押さえ付けることができる。ループも同様に金属製であり得る。第１のバンド半分１２上のまたは両方のバンド半分１１上の、ループ３の望ましくない、抵抗がなさすぎる摺動を回避するために、内側のループはたとえば小さいばね、たとえば内側に曲げられる板ばねを含み、これによって片方または両方のバンド半分がループの内側でわずかにクランプされる。
【図１】
2020124503.tif 000003
【図２】
2020124503.tif 000004
【図３】
2020124503.tif 000005
【図４】
2020124503.tif 000006
【図５】
2020124503.tif 000007
【外国語明細書】
2020124503000001.pdf